(57)【要約】【課題】データの記録開始時刻を早めるために用いるメモリ手段の記憶容量を削減できるようにしたデータ記録装置およびデータ記録方法を提供する。【解決手段】録画装置１０１は、データを記憶するメモリ１０５と、ディスク状記録媒体を用いてデータを記録するＨＤＤ１０２とを有する。この録画装置はメモリ１０５におけるデータの記憶動作が可能になった後、ＨＤＤのうちのファイルシステムで管理される管理区域１０４に対するデータ記録動作が可能になるまでの間、ファイルシステムで管理されない非管理区域１０３にデータを記録する。【選択図】図１
2009009626.tif 000002
【特許請求の範囲】
【請求項１】
データを記憶するメモリ手段と、ディスク状記録媒体を用いてデータを記録するディスク記録手段とを有するデータ記録装置であって、
前記メモリ手段におけるデータの記憶動作が可能になった後、前記ディスク状記録媒体のうちのファイルシステムで管理される管理区域に対するデータ記録動作が可能になるまでの間、前記ディスク状記録媒体のうちの前記ファイルシステムで管理されない非管理区域にデータを記録する記録制御手段を有することを特徴とするデータ記録装置。
【請求項２】
前記記録制御手段は、前記メモリ手段におけるデータの記憶動作が可能になった後、前記非管理区域に対するデータ記録動作が可能になるまでの間、前記メモリ手段にデータを記憶させることを特徴とする請求項１記載のデータ記録装置。
【請求項３】
前記記録制御手段は、前記非管理区域に対するデータ記録動作が可能になった後、前記管理区域に対するデータ記録動作が可能になるまでの間、前記非管理区域にデータを記録することを特徴とする請求項１または２記載のデータ記録装置。
【請求項４】
前記記録制御手段は、前記非管理区域に対するデータ記録動作が可能になったときは前記メモリ手段におけるデータの記憶動作を終了させて前記非管理区域におけるデータの記録動作を開始することを特徴とする請求項２または３記載のデータ記録装置。
【請求項５】
前記記録制御手段は、前記管理区域に対するデータ記録動作が可能になったときは前記非管理区域に対するデータの記録動作を終了させて前記管理区域におけるデータの記録動作を開始することを特徴とする請求項４記載のデータ記録装置。
【請求項６】
データを記憶するメモリ手段と、ディスク状記録媒体を用いてデータを記録するディスク記録手段とを有するデータ記録装置であって、
前記メモリ手段におけるデータの記憶動作が可能になった後、前記ディスク状記録媒体のうちのファイルシステムで管理される管理区域に対するデータ記録動作が可能になるまでの間、前記ディスク状記録媒体のうちの前記ファイルシステムで管理されない非管理区域にデータを記録し、前記管理区域に対するデータ記録動作が可能になった後、前記非管理区域に記録されている記録データを読み出して前記管理区域に記録する記録制御手段を有することを特徴とするデータ記録装置。
【請求項７】
前記記録制御手段は、前記管理区域に対するデータ記録動作が可能になった後、前記メモリ手段に記憶されている記憶データを読み出して前記管理区域に記録することを特徴とする請求項６記載のデータ記録装置。
【請求項８】
データを記憶するメモリ手段と、ディスク状記録媒体を用いてデータを記録するディスク記録手段とを有するデータ記録装置におけるデータ記録方法であって、
前記メモリ手段におけるデータの記憶動作が可能になった後、前記ディスク状記録媒体のうちのファイルシステムで管理される管理区域に対するデータ記録動作が可能になるまでの間、前記ディスク状記録媒体のうちの前記ファイルシステムで管理されない非管理区域にデータを記録することを特徴とするデータ記録方法。
【請求項９】
データを記憶するメモリ手段と、ディスク状記録媒体を用いてデータを記録するディスク記録手段とを有するデータ記録装置におけるデータ記録方法であって、
前記メモリ手段におけるデータの記憶動作が可能になった後、前記ディスク状記録媒体のうちのファイルシステムで管理される管理区域に対するデータ記録動作が可能になるまでの間、前記ディスク状記録媒体のうちの前記ファイルシステムで管理されない非管理区域にデータを記録し、前記管理区域に対するデータ記録動作が可能になった後、前記非管理区域に記録されている記録データを読み出して前記管理区域に記録することを特徴とするデータ記録方法。
【発明の詳細な説明】
【技術分野】
【０００１】
本発明は、ディスク状記録媒体を用いてデータを記録するディスク記録手段を有するデータ記録装置およびそのデータ記録装置におけるデータ記録方法に関する。
【背景技術】
【０００２】
従来、ハードディスクやＤＶＤ−ＲＡＭ，ＤＶＤ−Ｒ等のディスク状記録媒体を用いて映像データや音声データを記録するディスク記録手段を備えたデータ記録装置が知られている。この種のデータ記録装置は様々なタイプの装置が知られている。
【０００３】
例えば、特許文献１には、半導体メモリとＨＤＤ（ハードディスク装置）への電源供給を開始した後、ＨＤＤでデータの記録動作が可能になるまでの間、先に半導体メモリにデータを記憶させ、ＨＤＤでデータの記録動作が可能になった後に半導体メモリからデータを読み出しＨＤＤに記録するようにしてデータの記録開始時刻を早めた記録装置が開示されている。
【特許文献１】特開２００１−２１０００２号公報
【発明の開示】
【発明が解決しようとする課題】
【０００４】
データの記録開始時刻を早めるには、前述の従来技術のように、ディスク記録手段によるデータ記録動作が可能になるまでの間、半導体メモリ等のメモリ手段にデータを書き出して記憶させておけばよい。
【０００５】
しかし、後々ディスク状記録媒体に記録されるデータを一時的にせよメモリ手段に記憶させておくには、そのメモリ手段の記憶容量をある程度の大きさで確保しなければならない。
【０００６】
そこで、本発明は上記課題を解決するためになされたもので、データの記録開始時刻を早めるために用いるメモリ手段の記憶容量を削減できるようにしたデータ記録装置およびデータ記録方法を提供することを目的とする。
【課題を解決するための手段】
【０００７】
上記課題を解決するため、本発明は、データを記憶するメモリ手段と、ディスク状記録媒体を用いてデータを記録するディスク記録手段とを有するデータ記録装置であって、メモリ手段におけるデータの記憶動作が可能になった後、ディスク状記録媒体のうちのファイルシステムで管理される管理区域に対するデータ記録動作が可能になるまでの間、ディスク状記録媒体のうちのファイルシステムで管理されない非管理区域にデータを記録する記録制御手段を有するデータ記録装置を特徴とする。
【０００８】
また、本発明は、データを記憶するメモリ手段と、ディスク状記録媒体を用いてデータを記録するディスク記録手段とを有するデータ記録装置であって、メモリ手段におけるデータの記憶動作が可能になった後、ディスク状記録媒体のうちのファイルシステムで管理される管理区域に対するデータ記録動作が可能になるまでの間、ディスク状記録媒体のうちのファイルシステムで管理されない非管理区域にデータを記録し、管理区域に対するデータ記録動作が可能になった後、非管理区域に記録されている記録データを読み出して管理区域に記録する記録制御手段を有するデータ記録装置を提供する。
【０００９】
さらに、本発明は、データを記憶するメモリ手段と、ディスク状記録媒体を用いてデータを記録するディスク記録手段とを有するデータ記録装置におけるデータ記録方法であって、メモリ手段におけるデータの記憶動作が可能になった後、ディスク状記録媒体のうちのファイルシステムで管理される管理区域に対するデータ記録動作が可能になるまでの間、ディスク状記録媒体のうちのファイルシステムで管理されない非管理区域にデータを記録するデータ記録方法を提供する。
【００１０】
また、本発明は、データを記憶するメモリ手段と、ディスク状記録媒体を用いてデータを記録するディスク記録手段とを有するデータ記録装置におけるデータ記録方法であって、メモリ手段におけるデータの記憶動作が可能になった後、ディスク状記録媒体のうちのファイルシステムで管理される管理区域に対するデータ記録動作が可能になるまでの間、ディスク状記録媒体のうちのファイルシステムで管理されない非管理区域にデータを記録し、管理区域に対するデータ記録動作が可能になった後、非管理区域に記録されている記録データを読み出して管理区域に記録するデータ記録方法を提供する。
【発明の効果】
【００１１】
以上詳述したように、本発明によれば、データの記録開始時刻を早めるために用いるメモリ手段の記憶容量を削減できるようにしたデータ記録装置およびデータ記録方法が得られる。
【発明を実施するための最良の形態】
【００１２】
以下、本発明の実施の形態について説明する。なお、同一要素には同一符号を用い、重複する説明は省略する。
【００１３】
（録画装置の構成）
本発明の実施の形態に係るデータ記録装置としての録画装置１０１について図１を参照して説明する。
【００１４】
図１は、録画装置１０１内部の構成を示すブロック図である。図１に示すように、録画装置１０１はＨＤＤ１０２と、メモリ１０５と、ＭＰＵ１０６と、ＲＯＭ１０７とを有している。また、録画装置１０１はチューナ１０８と、ＡＤＣ１０９と、エンコーダ１１０およびＤＶＤドライブ１１１を有し、ＨＤＤ１０２、メモリ１０５およびＭＰＵ１０６などが図１に示すようにしてバス１１０に接続されている。
【００１５】
ＨＤＤ１０２は、高速回転するディスク状記録媒体としての磁気ディスクに映像データおよび音声データを記録するディスク記録手段を構成している。ＨＤＤ１０２は、数十から数百時間分の大容量の映像データおよび音声データを記録することができる。また、ＨＤＤ１０２には、ＯＳ（Operating  System）、後述する記録制御の手順を記述した記録制御プログラムも記録されている。
【００１６】
このＨＤＤ１０２は、磁気ディスクに非管理区域１０３と管理区域１０４とが設けられているが、この点については後述する。
【００１７】
メモリ１０５は半導体で構成され、映像データおよび音声データを所定の形式で記憶するメモリ手段である。
【００１８】
ＭＰＵ１０６はＲＯＭ１０７からメモリ１０５に読み出された起動プログラムにしたがい起動され、また、ＨＤＤ１０２に記憶されているＯＳ（Operating  System）にしたがってシステム初期化やシステム終了などを制御し、録画装置１０１全体の動作制御を司っている。また、ＭＰＵ１０６は記録制御プログラムを実行することで後述する記録制御手段としての機能も有することができる。
【００１９】
ＲＯＭ１０７には、起動プログラムなどのＭＰＵ６が実行するプログラムや恒久的なデータが記憶されている。
【００２０】
チューナ１０８は、図示されていないアンテナが受け取った放送波の信号が入力される。そして、チューナ１０８は入力される信号について復調等を行ってアナログ映像信号を出力する。このアナログ映像信号は、ＡＤＣ(Analog  To  Digital  Converter)１０９によって例えばサンプリング周波数１３．５ＭＨｚ、量子化ビット数８ビットで量子化される。同様にアナログ音声信号についてもＡＤＣ１０９によって、例えばサンプリング周波数４８ｋＨｚ、量子化ビット数１６ビットで量子化される。
【００２１】
ＡＤＣ１０９から出力されたデジタル形式の映像信号とデジタル音声信号は、エンコーダ１１０に入力される。エンコーダ１１０は入力されたデジタル形式の映像信号をＭＰＥＧ−２規格に基づいて圧縮し、圧縮された映像データを出力する。デジタル形式の音声信号についても、例えばＡＣ（Audio  Compression）−３規格に基づいて圧縮し、圧縮した音声データを出力する。
【００２２】
エンコーダ１１０では、圧縮したデジタル形式の映像データと音声データとを記録に適したフォーマットとなるよう信号処理を行って図示しないデータプロセッサに出力する。エンコーダ１１０でエンコードされた映像データおよび音声データやＭＰＵ１０６で作成された管理情報は、データプロセッサを介して、ＨＤＤ１０２や、ＤＶＤドライブ１１１に挿入されているＤＶＤ−ＲＡＭ等のディスク状記録媒体としての光ディスクに記録され、ＨＤＤ１０２やＤＶＤドライブ１１１を用いて録画が行われる。
【００２３】
次に、録画装置１０１がＨＤＤ１０２を用いて映像データおよび音声データを記録するときの動作内容について図２を参照して説明する。
【００２４】
録画装置１０１は、ＨＤＤ１０２を用いて映像データおよび音声データを記録する場合、以下に説明するデータ記録制御を行い、ＨＤＤ１０２とともにメモリ１０５を用いて映像データおよび音声データを記録する。
【００２５】
この場合、ＨＤＤ１０２は、領域初期化の際にハードディスクのすべての領域を、データがファイルシステムで管理される管理区域１０４とするのではなく、ファイルシステムの管理を受けない非管理区域の物理領域（以下「非管理区域」という）１０３を残している。そのため、ハードディスクは非管理区域１０３と管理区域１０４とが設けられている。通常、ファイルシステムはファイル管理の上でアプリケーションに対し多くの利点を提供する反面、ファイルシステムを実現するためのプログラムが大きくなる。このような理由からファイルシステムはＯＳの機能として提供される場合が多い。
【００２６】
図２は録画装置１０１において、電源供給開始直後に映像データおよび音声データの記録要求（データ記録要求）があった場合におけるデータ記録制御の動作手順を示すチャートである。
【００２７】
録画装置１０１では、メモリ１０５と、ＨＤＤ１０２における非管理区域１０３と、管理区域１０４とは、それぞれ使用開始時刻が異なり、電源供給が開始されてから、データの記憶ないし記録動作を開始できるまでの時間（以下「開始所要時間」という）が異なっている。すなわち、メモリ１０５と、非管理区域１０３と、管理区域１０４とは、この順に開始所要時間が大きくなっている。これは一般に管理区域１０４のファイルシステムを管理すべきＯＳが立ち上がるのに時間を要するために生じる。
【００２８】
本実施の形態では、時刻ｔ１でメモリ１０５が使用可能になり（Ｓ２０２）、時刻ｔ２で非管理区域１０３が使用可能になり（Ｓ２０３）、時刻ｔ３で管理区域１０４が使用可能になる（Ｓ２０４）としている（ｔ１＜ｔ２＜ｔ３）。
【００２９】
本実施の形態は、非管理区域１０３，管理区域１０４，メモリ１０５のそれぞれの開始所要時間の違いに着目したものであり、ＭＰＵ１０６が記録制御手段としての動作を行い、データ記録制御を行っている。
【００３０】
そして、時刻ｔ０のデータ記録要求（Ｓ２０１）があり、その後、まず、時刻ｔ１でメモリ１０５が使用開始になるが（Ｓ２０２）、非管理区域１０３はデータ記録動作が可能になっていない。そのため、ＭＰＵ１０６は記録対象となる映像データまたは音声データ（以下「対象データ」という）のメモリ１０５への一時的な書き出しを開始し（Ｓ２０６）、非管理区域１０３のデータ記録動作が可能になるまでの間、対象データをメモリ１０５に記憶させる。
【００３１】
次に、時刻ｔ２で非管理区域１０３が使用可能になるが（Ｓ２０３）、管理区域１０４はデータ記録動作が可能になっていない。そのため、ＭＰＵ１０６はＨＤＤ１０２に指示して時刻ｔ２で非管理区域１０３に対する対象データの一時的な記録を開始し（Ｓ２１０）、管理区域１０４のデータ記録動作が可能になるまでの間、対象データを非管理区域１０３に記録する。
【００３２】
また、ＭＰＵ１０６は非管理区域１０３が使用可能になったときはメモリ１０５への対象データの書き出しを終了する（Ｓ２０７）。
【００３３】
その後、時刻ｔ３で管理区域１０４が使用可能になるため（Ｓ２０４）、時刻ｔ３でＭＰＵ１０６はＨＤＤ１０２に指示して残りの対象データの管理区域１０４に対する記録を開始する（Ｓ２１４）。
【００３４】
また、ＭＰＵ１０６は管理区域１０４が使用可能になったときは非管理区域１０３への対象データの書き出しを終了する（２１１）。
【００３５】
時刻ｔ３以降は、メモリ１０５または非管理区域１０３に一時的に記憶または記録させた対象データを管理区域１０４に記録して録画ファイルを生成するデータ記録処理が行われる。
【００３６】
すなわち、残りの対象データの管理区域１０４への記録を行うのと並行して、ＭＰＵ１０６は時刻ｔ３から、メモリ１０５に一時的に書き出された対象データを読み出し管理区域１０４へ記録させるデータ複写（コピー）を開始する（Ｓ２０８）。
【００３７】
また、ＭＰＵ１０６は時刻ｔ４から、非管理区域１０３に一時的に書き出された対象データを読み出し管理区域１０４へ記録させるデータ複写（コピー）を開始する（Ｓ２１２）
【００３８】
そして、メモリ１０５から管理区域１０４へのデータ複写（コピー）が時刻ｔ５で終了し（Ｓ２０９）、非管理区域１０３から管理区域１０４へのデータ複写（コピー）が時刻ｔ６で終了する。
【００３９】
こうして、時刻ｔ６で管理区域１０４に対する対象データの記録がすべて終了すると録画ファイルが管理区域１０４に生成され、これをもってＭＰＵ１０６はデータ記録制御を終了する。
【００４０】
ここで、図３はメモリ１０５、非管理区域１０３、管理区域１０４に対象データを記録する際のデータ記録形式を模式的に示した図である。図示のとおり、対象データは管理パス３０１と、データサイズ３０２およびデータ３０３を有するデータ形式になっている。
【００４１】
本実施の形態では、ＭＰＵ１０６は対象データを記録する際、対象データが最終的に記録される管理区域１０４のアドレスではなく、ファイルシステムで管理される管理区域１０４内の管理パス（各ファイルに至るディレクトリ名をつなげたもの）３０１を指定している。
【００４２】
こうすることにより、Ｓ２１４で対象データを管理区域１０４へ記録する段階で、管理パスを用いて管理区域１０４内のアドレスに変換することが可能になる。そのため、ＭＰＵ１０６は非管理区域１０３やメモリ１０５に対象データを一時的に書き出す段階で、対象データの記録領域が管理区域１０４上において連続領域として確保されるかといったディスクの空き状況などを考慮しなくても良くなっている。
【００４３】
また、図４は図２に示したＳ２０８、Ｓ２１２、Ｓ２１４で並行して行われる管理区域１０４へのデータ記録処理（並行記録処理）の動作手順を示すフローチャートである。
【００４４】
まず、ＭＰＵ１０６は対象データのサイズと書き込みサイズとが一致するか否かで対象データがすべて管理区域１０４に記録されたかどうかを判定する（Ｓ４０１）。ここで、ＭＰＵ１０６は、対象データがすべて管理区域１０４に記録されたと判定したときは並行記録処理を終了するが、そうでなければＳ４０２に動作を進める。
【００４５】
ＭＰＵ１０６はＳ４０２に動作を進めると、一時的に書き出した対象データ以外に対象データの書き込み待ちがあるか否かを判定する。ここで、書き込み待ちがあるときはＳ４０５に動作を進め、そうでなければＳ４０３に動作を進める。
【００４６】
ＭＰＵ１０６はＳ４０５に動作を進めると、書き込み待ちの対象データの書き込みを行い、Ｓ４０１へ戻る。
【００４７】
また、ＭＰＵ１０６はＳ４０３では、メモリ１０５に一時的に書き出した対象データが残っているかどうかを判定し、一時的に書き出した対象データが残っているときはＳ４０６に動作を進め、そうでなければＳ４０４に動作を進める。
【００４８】
そして、ＭＰＵ１０６はＳ４０６に動作を進めると、一時的に書き出した対象データを一定時間管理区域１０４に書き込みしてＳ４０１へ戻る。
【００４９】
また、ＭＰＵ１０６はＳ４０４では、一時的に書き出した対象データが非管理区域１０３に残っているかどうかを判定し、一時的に書き出した対象データが残っているときはＳ４０７に動作を進め、そうでなければＳ４０１に戻る。
【００５０】
ＭＰＵ１０６はＳ４０７に動作を進めると、一時的に書き出した対象データを一定時間管理区域１０４に書き込みしてＳ４０１へ戻る。
【００５１】
以上のように、本実施の形態にかかる録画装置１０１では、ＨＤＤ１０２が使用開始になるまでの間、メモリ１０５に対象データを一時的に書き出すだけではなく、ＨＤＤ１０２における管理区域１０４と非管理区域１０３との開始所要時間の違いを利用したデータの書き出しを行って、対象データを一時的に書き出すのに必要なメモリ１０５のサイズを抑制できるようにしている。
【００５２】
つまり、録画装置１０１は、メモリ１０５におけるデータの記憶動作が可能になった後、管理区域１０４よりも非管理区域１０３が先にデータ記録動作が可能になるため、管理区域１０４に対するデータの記録動作が可能になるまでの間は、メモリ１０５のほか、非管理区域１０３にもデータを記録できる。
【００５３】
そのため、管理区域１０４に対するデータ記録動作が可能になるまでの間、ＨＤＤ１０２に確保される非管理区域１０３へ対象データを一時的に書き出すことができるので、録画装置１０１は、この非管理区域１０３が負担する対象データの一時的書き出しの記録容量のサイズ分だけ、メモリ１０５への対象データの一時的書き出しに要する記憶容量を抑制できるようになっている。
【００５４】
以上のように、録画装置１０１では、ユーザビリティ向上のためのデータの記録開始時刻を早めるために用いるメモリ１０５の記憶容量を削減することができる。これにより、録画装置において、データの記録開始時刻を早めるために必要とされてきた分のメモリ搭載に要するコスト削減が可能となる。
【００５５】
なお、以上の実施の形態では、メモリ１０５とＨＤＤ１０２を用いたデータ記録制御を例にとって説明したが、本発明はメモリ１０５とＤＶＤドライブ１１１を用いてデータ記録制御を行う場合も適用できる。
【図面の簡単な説明】
【００５６】
【図１】本発明の実施の形態に係る録画装置内部の構成を示すブロック図である。
【図２】録画装置において、電源供給開始直後に映像データおよび音声データの記録要求（データ記録要求）があった場合におけるデータ記録制御の動作手順を示すチャートである。
【図３】メモリ、非管理区域、管理区域に対象データを記録する際のデータ記録形式を模式的に示した図である。
【図４】図２に示したＳ２０８、Ｓ２１２、Ｓ２１４で並行して行われる管理区域へのデータ記録処理の動作手順を示すフローチャートである。
【符号の説明】
【００５７】
１０１…録画装置、１０２…ＨＤＤ、１０３…非管理区域、１０４…管理区域
１０５…メモリ、１０６…ＭＰＵ，１１１…ＤＶＤドライブ
【図１】
2009009626.tif 000003
【図２】
2009009626.tif 000004
【図３】
2009009626.tif 000005
【図４】
2009009626.tif 000006